(57)【要約】【課題】タンク本体内の有機廃液の液面上に有機廃液を広範囲に飛散できる嫌気性処理槽を提供する。【解決手段】回転主軸16によるスクリュ15の正転Ａで、ドラフトチューブ13内の有機廃液Ｗがタンク本体２内の有機廃液Ｗの液面Ｌから跳ね上がる。回転主軸16に取り付けた飛散機構21が遠心力で上方に回動し、飛散機構21の掻き飛し部23によって液面Ｌより跳ね上がった有機廃液Ｗをすくうように飛散させる。回転主軸16の回転速度の調整で、スクリュ15による有機廃液Ｗの跳ね上げ程度と、飛散機構21の掻き飛し部23の回動角度とを調整できる。掻き飛し部23による有機廃液Ｗの掻き飛し位置の調整で、有機廃液Ｗの飛散程度を調整できる。【選択図】図１
2008036597.tif 000002
【特許請求の範囲】
【請求項１】
排水が貯留される槽本体と、
軸方向を上下方向に沿わせた状態で前記槽本体内に配設された筒状体と、
この筒状体内に設けられこの筒状体の周方向に沿った回転にてこの筒状体内の排水を上方に流動させて前記槽本体内の排水の水面より上方に跳ね上げさせる流動手段と、
この流動手段にて流動されて前記槽本体内の排水の水面より上方に跳ね上がった排水を飛散させる凹曲面状の飛散部を有し、上下方向に回動可能に前記流動手段に取り付けられた飛散手段と
を具備したことを特徴とした排水処理装置。
【請求項２】
飛散手段は、筒状体の回転速度に応じて上下方向の回動角度が調整可能である
ことを特徴とした請求項１記載の排水処理装置。
【請求項３】
流動手段は、筒状体の周方向に沿った回転でこの筒状体内の排水を下方に流動可能で、
槽本体は、この槽本体の底部側に設けられ前記流動手段にて下方に流動された前記筒状体内の排水を前記槽本体内へ拡散させる拡散部を有している
ことを特徴とした請求項１または２記載の排水処理装置。
【請求項４】
拡散部は、槽本体の底部側の周面部を下方に向けて縮径させた逆錐面状に形成されている
ことを特徴とした請求項３記載の排水処理装置。
【発明の詳細な説明】
【技術分野】
【０００１】
本発明は、排水が貯留される槽本体を有する排水処理装置に関する。
【背景技術】
【０００２】
従来、この種の排水処理装置である汚泥消化槽は、排水が貯留される槽本体内に、円筒状の筒状体としてのドラフトチューブが取り付けられている。そして、この槽本体内の排水を均一に攪拌することを目的として、ドラフトチューブに上部分岐管や下部分岐管を接続させて、この槽本体内を良好な攪拌状態にする構成が知られている（例えば、特許文献１参照。）。
【０００３】
また、この種の排水処理装置としては、排水が貯留される消化タンク内にドラフトチューブが取り付けられ、このドラフトチューブ内に下向流を形成させるスクリュが取り付けられている。さらに、このスクリュを回転させる回転軸には、消化タンク内に貯留されている排水の水面域に形成されるスカム層を吐出させる上部スクリュが取り付けられている。また、回転軸の上部スクリュより上側には、この上部スクリュにて吐出させた汚泥を周辺のスカム層に撒き散らすためのディスクが取り付けられている。
【０００４】
そして、上部スクリュでドラフトチューブ内の排水の流れを上向流にし、この排水の水面域のスカム層を汚泥として吐出させ、この吐出された汚泥をディスクで撒き散らす。そして、このディスクで撒き散らした汚泥で、排水の水面に形成されるスカム層を柔らかくしてから、回転軸の回転方向を逆転させて、排水の水面の柔らかくなったスカム層をスクリュにてドラフトチューブ内に吸い込ませて破砕して、タンク内に攪拌させる構成が知られている（例えば、特許文献２参照。）。
【特許文献１】特開平８−３３９００号公報
【特許文献２】特開平７−９６２９８号公報
【発明の開示】
【発明が解決しようとする課題】
【０００５】
しかしながら、上記排水処理装置では、上部スクリュで排水の水面域のスカム層を汚泥として吐出させ、この吐出された汚泥をディスクで撒き散らしている。このため、このディスクで撒き散らした汚泥を、排水の水面の中心部からタンクの内壁縁までの広範囲に亘って飛散させることが容易ではないから、排水の水面域に形成されるスカム層を水面全体に亘って均等に柔らかくすることが容易ではないという問題を有している。
【０００６】
本発明は、このような点に鑑みなされたもので、排水をより広範囲に飛散できる排水処理装置を提供することを目的とする。
【課題を解決するための手段】
【０００７】
請求項１記載の排水処理装置は、排水が貯留される槽本体と、軸方向を上下方向に沿わせた状態で前記槽本体内に配設された筒状体と、この筒状体内に設けられこの筒状体の周方向に沿った回転にてこの筒状体内の排水を上方に流動させて前記槽本体内の排水の水面より上方に跳ね上げさせる流動手段と、この流動手段にて流動されて前記槽本体内の排水の水面より上方に跳ね上がった排水を飛散させる凹曲面状の飛散部を有し、上下方向に回動可能に前記流動手段に取り付けられた飛散手段とを具備したものである。
【０００８】
請求項２記載の排水処理装置は、請求項１記載の排水処理装置において、飛散手段は、筒状体の回転速度に応じて上下方向の回動角度が調整可能であるものである。
【０００９】
請求項３記載の排水処理装置は、請求項１または２記載の排水処理装置において、流動手段は、筒状体の周方向に沿った回転でこの筒状体内の排水を下方に流動可能で、槽本体は、この槽本体の底部側に設けられ前記流動手段にて下方に流動された前記筒状体内の排水を前記槽本体内へ拡散させる拡散部を有しているものである。
【００１０】
請求項４記載の排水処理装置は、請求項３記載の排水処理装置において、拡散部は、槽本体の底部側の周面部を下方に向けて縮径させた逆錐面状に形成されているものである。
【発明の効果】
【００１１】
請求項１記載の排水処理装置によれば、筒状体の回転に伴う遠心力に応じて飛散手段が上下方向に回動するから、この筒状体の回転の調整によって、槽本体内の排水の水面より上方に跳ね上がった排水の飛散手段の飛散部による飛散をより広範囲にできる。
【００１２】
請求項２記載の排水処理装置によれば、筒状体の回転速度に応じて飛散手段の上下方向の回動角度を調整できるから、この筒状体の回転速度の調整によって、飛散手段の飛散部による排水の飛散をより広範囲にできる。
【００１３】
請求項３記載の排水処理装置によれば、筒状体の回転によって筒状体内の排水を流動手段にて下方に流動させることにより、この排水がタンク本体の底部側に設けた拡散部によって槽本体内で拡散されるので、この槽本体内の排水を効率よく拡散できる。
【００１４】
請求項４記載の排水処理装置によれば、槽本体の拡散部を、この槽本体の底部側の周面部を下方に向けて縮径させた逆錐面状に形成したことにより、この槽本体内の排水を簡単な構成で効率よく拡散できる。
【発明を実施するための最良の形態】
【００１５】
以下、本発明の排水処理装置の第１の実施の形態の構成を図１ないし図４を参照して説明する。
【００１６】
図１および図３において、１は排水処理装置としての嫌気性消化槽である。この嫌気性消化槽１は、いわゆる生ごみなどの有機性廃棄物を原料とした高濃度かつ高粘度のメタン発酵槽液である排水としての有機廃液Ｗが図示しない流入口を介して外部から流入され、この有機廃液Ｗ中の有機物を嫌気性処理およびメタン発酵させるメタン発酵槽である。すなわち、この嫌気性消化槽１は、この嫌気性消化槽１内に貯留される有機廃液Ｗの液面Ｌに層状に発生する浮遊性異物としてのスカム類Ｓを破砕するとともに、この嫌気性消化槽１内に沈降する沈降性異物としての沈砂類Ｔの蓄積を防止させるものである。
【００１７】
具体的に、この嫌気性消化槽１は、内部が中空な有底円筒状の槽本体としてのタンク本体２を備えている。このタンク本体２は、このタンク本体２の軸方向を上下方向に沿わせつつ、上方を開口させた状態で設置されている。さらに、このタンク本体２は、円筒状の内周面３を有する胴体部４を有している。この胴体部４の上側には、上方に向けて徐々に縮径したテーパ状である錐面状の内周面５を有する縮径部６が同心状かつ一体的に取り付けられている。そして、この縮径部６の上側は、円盤状の蓋体７にて閉塞されている。
【００１８】
さらに、タンク本体２の胴体部４の下側には、下方に向けて徐々に縮径したテーパ状である逆錐面状の周面部としての内周面８を有する逆錐部である拡散部９が同心状かつ一体的に取り付けられている。この拡散部９は、タンク本体２の底部12側に設けられている。そして、この拡散部９の内周面８は、図１に示すように、水平方向に対する外側の傾斜角度θが、例えば４０゜以上５０゜以下となるように形成されている。言い換えると、この拡散部９の内周面８の傾斜角度θは、タンク本体２の底部12に蓄積する沈砂類Ｔの局所的な流動化に適した形状となるような角度に調整されている。
【００１９】
また、この拡散部９の下側には、凹弧面状の曲面である内面11を有する円錐頂部としての底部12が同心状かつ一体的に取り付けられている。この底部12は、タンク本体２の拡散部９の下側を閉塞している。さらに、この底部12の内面11は、タンク本体２の軸方向に沿って上方から下方へと流動する有機廃液Ｗを、この軸方向に対する径方向に向けてほぼ均等に拡散させて、タンク本体２内の有機廃液Ｗを均等に拡散させることが可能な凹弧面状に形成されている。
【００２０】
一方、このタンク本体２内の中心部には、上下方向に軸方向を沿わせた状態で円筒状の水流筒としての筒状体であるドラフトチューブ13が設置されている。このドラフトチューブ13は、このドラフトチューブ13の軸方向の一端側である上端側を、タンク本体２の胴体部４の上端側より若干下側に位置させた状態で、このタンク本体２内に設置されている。さらに、このドラフトチューブ13は、このドラフトチューブ13の軸方向の他端側である下端側を、タンク本体２の胴体部４の下端側より下方に突出させた状態で、このタンク本体２内に設置されている。
【００２１】
そして、このドラフトチューブ13は、このドラフトチューブ13の下端部をタンク本体２の底部12の内面11より上方に位置させた状態で、このタンク本体２の胴体部４の内周面３に対して同心状に設置されている。この結果、このドラフトチューブ13は、このドラフトチューブ13内に有機廃液Ｗを流動させることによって、タンク本体２内に上下方向の対流を全体に亘って発生させて、このタンク本体２内に貯留されている有機廃液Ｗを均一に拡散させる。さらに、このドラフトチューブ13の上端部には、このドラフトチューブ13の上端部をテーパ状に拡開させた形状の傾斜面部14が同心状に一体的に設けられている。
【００２２】
また、このドラフトチューブ13内の上端側には、このドラフトチューブ13内の有機廃液を流動させる流動手段としてのインペラであるスクリュ15が回転可能に取り付けられている。このスクリュ15は、このスクリュ15の軸方向に向けて螺旋状に巻回したスクリュ羽根形状に形成されている。さらに、このスクリュ15は、ドラフトチューブ13の周方向に沿って回転可能に取り付けられており、このスクリュ15の回転によってドラフトチューブ13内の有機廃液Ｗを流動させる。具体的に、このスクリュ15は、このスクリュ15を順方向、例えば上面視右回りに回転させる正転Ａの場合に、ドラフトチューブ13内の有機廃液Ｗを上方に向けて流動させる。
【００２３】
さらに、このスクリュ15は、このスクリュ15を逆方向、例えば上面視左回りに回転させる逆転Ｂの場合に、ドラフトチューブ13内の有機廃液Ｗを下方に向けて流動させて攪拌させる。すなわち、このスクリュ15は、ドラフトチューブ13内の有機廃液Ｗを下方に向けて流動させて、このドラフトチューブ13内で攪拌させる攪拌手段としての攪拌機でもある。具体的に、このスクリュ15は、下方から上方に向けて上面視右回りに螺旋状に巻回したスクリュ羽根形状に形成されている。
【００２４】
また、このスクリュ15の上側の回転中心には、上下方向に沿った軸方向を有する攪拌軸としてのシャフトである断面円形棒状の回転主軸16の下端部が接続されている。この回転主軸16は、この回転主軸16の周方向への回転によってスクリュ15を回転させる支軸であって、ドラフトチューブ13の内周面に対して同心状に設置されている。さらに、この回転主軸16の上端側は、タンク本体２の蓋体７を貫通して上方に突出している。そして、この回転主軸16の上端部には、この回転主軸16を回転させる駆動手段としてのモータ17が取り付けられている。このモータ17は、このモータ17による回転主軸16の回転方向の変更によって、スクリュ15の回転方向を変化できるように構成されている。
【００２５】
ここで、この回転主軸16の外周面には、この回転主軸16の正転Ａにてドラフトチューブ13内の有機廃液Ｗを上向流方向に流動させることによって、タンク本体２内の有機廃液Ｗの液面Ｌから跳ね上がった槽内消化液である有機廃液Ｗをタンク本体２の径方向に向けて飛散させ、このタンク本体２の有機廃液Ｗの液面Ｌ全体に発生するスカム類Ｓに散水して、硬化したスカム類Ｓの湿潤や硬化を防止させるために、このスカム類Ｓを柔らかくして破砕させる飛散手段である飛散機構21が取り付けられている。
【００２６】
この飛散機構21は、タンク本体２内に貯留されている有機廃液Ｗの液面Ｌより上方である気相部に位置するように回転主軸16に取り付けられている。具体的に、この飛散機構21は、図２および図４に示すように、回転主軸16の外周面に取り付けられた上面視細長矩形状の支持体22を備えている。この支持体22は、この支持体22の長手方向を回転主軸16の径方向に沿わせた状態で取り付けられおり、この回転主軸16の周方向に向けて等間隔、この回転主軸16の外周面の４分の１ずつ、あるいは８分の１ずつ離間させた位置のそれぞれに取り付けられている。
【００２７】
そして、これら支持体22それぞれの長手方向の中央部には、略スプーン形状であるとともに略柄杓形状の掻き飛し部23が上下方向に向けて回動可能に取り付けられている。これら掻き飛し部23は、曲面羽根形状に形成された飛散部としての羽根付棒であって、回転主軸16の回転によって作用する遠心力や、この回転に伴う揚力に応じて上下方向に向けて垂直に回動可能となるようにピン20にて軸支されて取り付けられている。さらに、これら掻き飛し部23は、断面円形棒状の支持部24を備えており、この支持部24の長手方向の一端である基端側が、支持体22に回動可能に連結されて固定されている。そして、これら掻き飛し部23の長手方向の他端である先端部には、一側面に凹弧面状の湾曲面25が設けられた羽根形状の羽根部26が一体的に取り付けられている。
【００２８】
ここで、これら掻き飛し部23の羽根部26は、回転主軸16の回転を停止させた状態で、これら掻き飛し部23それぞれの羽根部26が回転主軸16の外周面と向い合い、この回転主軸16の回転に伴う遠心力や揚力の作用によって、この回転主軸16の外周面から遠ざかる方向に移動する側に取り付けられている。言い換えると、これら各掻き飛し部23は、回転主軸16の回転に伴う遠心力や揚力を作用させない状態で、これら各掻き飛し部23の支持部24の長手方向である軸方向が回転主軸16の軸方向に対して平行で、これら各掻き飛し部23の羽根部26の湾曲面25が回転主軸16の外周面に対向するように取り付けられている。
【００２９】
さらに、これら掻き飛し部23の羽根部26の湾曲面25は、タンク本体２内の有機廃液Ｗの液面Ｌより上方に跳ね上がった槽内消化液である有機廃液Ｗを、このタンク本体２内の有機廃液Ｗの液面Ｌの中心部から外側縁までに亘って全体的に均一に掻き飛ばして、このタンク本体２内の有機廃液Ｗの液面Ｌの外側に向けてより効率良く均一に飛散でき、この有機廃液Ｗの液面Ｌの中心位置である近距離からタンク本体２の内側縁である遠距離までに亘った全体に、タンク本体２内の有機廃液Ｗを飛散できるような湾曲面形状に形成されている。すなわち、これら掻き飛し部23は、これら掻き飛し部23の羽根部26の湾曲面25にてタンク本体２内の有機廃液Ｗの液面Ｌより上方に跳ね上がった有機廃液Ｗを効率よく飛散できるように、これら掻き飛し部23の羽根部26の湾曲面25側の端面が、回転主軸16の正転Ａ上流側に向けて所定の角度、例えば３０゜ほど傾斜させた状態で取り付けられている。
【００３０】
また、これら湾曲面25は、回転主軸16の回転数の調整、すなわち可変によって掻き飛し部23に作用する遠心力や揚力の変化による掻き飛し部23の支持部24の回動角度の変化によって、これら湾曲面25に有機廃液Ｗが衝突する位置および傾斜角度が調整でき、これら湾曲面25に衝突して跳ね返された有機廃液Ｗの飛散方向および飛散角度が調整されて、この有機廃液Ｗをより広範囲かつ均一に飛散できるような湾曲形状に形成されている。すなわち、これら掻き飛し部23は、タンク本体２内に貯留されている有機廃液Ｗの液面Ｌより上方に跳ね上がった有機廃液Ｗを、遠くもしくは広角に飛散させて、この液面Ｌ上の硬化したスカム類Ｓを湿潤あるいは硬化防止させ、この液面Ｌ全体のスカム類Ｓを破砕および攪拌するものである。
【００３１】
そして、各飛散機構21の支持体22が取り付けられている位置より上方の回転主軸16の外周面には、これら飛散機構21の掻き飛し部23にて飛散させた有機廃液Ｗの上方への飛散である、この有機廃液Ｗのしぶき防止する上方飛散防止手段としてのディスク板27が取り付けられている。このディスク板27は、外側から内側に向かうに連れて下方に突出したテーパ状の下面を有する略円盤状に形成されており、このディスク板27の中心部に回転主軸16が同心状に挿通された状態で、この回転主軸16に固定されている。さらに、このディスク板27は、飛散機構21の掻き飛し部23を回動させて、これら掻き飛し部23の軸方向を水平方向に沿わせた状態で、これら掻き飛し部23の羽根部26の基端部までの外径寸法に等しい外径寸法を有している。
【００３２】
ここで、タンク本体２内のドラフトチューブ13は、スクリュ15の逆転Ｂの方向への連続的または間欠的な回転によってドラフトチューブ13内の有機廃液Ｗに流速を与えて可変的な下向流とし、飛散機構21による有機廃液Ｗの飛散にて軟らかくなったスカム類Ｓをタンク本体２内の有機廃液Ｗとともにドラフトチューブ13内へと巻き込ませて破砕させてから、このドラフトチューブ13内の有機廃液Ｗとともに下端部から排出させて、タンク本体２の下部から上方へと攪拌させる。このとき、このドラフトチューブ13は、このドラフトチューブ13内のスクリュ15の逆転Ｂの時の回転速度を調整して、このドラフトチューブ13内の有機廃液Ｗの流動量を調整することによって、タンク本体２の底部12の内面11近傍に旋回流を発生させ、この底部12の内面11や拡散部９の内周面８に蓄積した沈砂類Ｔを効率よく流動化させる。
【００３３】
さらに、このタンク本体２の底部12の内面11は、ドラフトチューブ13の下端部から排出される有機廃液Ｗの下降流により生じた流束が、この底部12の内面11全体に衝突する程度の大きさに形成されている。そして、このタンク本体２の底部12の内面11への有機廃液Ｗの衝突による、この底部12の内面11上に蓄積した沈砂類Ｔの流動によって、このタンク本体２の拡散部９の内周面８上に蓄積した沈砂類Ｔが、この拡散部９の内周面８に沿って底部12側へと滑り込んでいき、この拡散部９の内周面８に蓄積する沈砂類Ｔの連続的な移動が可能となって流動化される。
【００３４】
一方、タンク本体２の下側の拡散部９には、スクリュ15の逆転Ｂの方向への回転によって、ドラフトチューブ13の下端部からタンク本体２内へと排出され、このタンク本体２の底部12の内面11に衝突して流動した沈砂類Ｔなどの異物を、このタンク本体２内から槽外へ排出させる異物引抜手段としての細長円筒状の排出管31が取り付けられている。この排出管31は、タンク本体２の拡散部９の高さ方向の略中間部からこのタンク本体２内へと挿入され、このタンク本体２の拡散部９の内周面８に沿って下方へ屈曲され、この拡散部９の内周面８の下端側から、この拡散部９の幅寸法の約４分の１ほど上方の位置まで突出した状態で取り付けられたパイプ体である。
【００３５】
そして、この排出管31は、タンク本体２内にて嫌気性処理された有機廃液Ｗをタンク本体２内から流出させて排出させる流出管である。
【００３６】
さらに、この排出管31は、スクリュ15の回転によってドラフトチューブ13の下端部から排出される有機廃液Ｗがタンク本体２の底部12の内面11に衝突して、このタンク本体２の拡散部９の内周面８に沿って上方に流動される有機廃液Ｗの流れによる押し上げによって、このタンク本体２の底部12の内面11や拡散部９の内周面８上に堆積しこの拡散部９の内周面８近傍で循環される沈砂類Ｔを連続的あるいは間欠的に効率良く外部へと排出させて、このタンク本体２の底部12の内面11や拡散部９の内周面８上への沈砂類Ｔの蓄積を防止させるものである。
【００３７】
ここで、このタンク本体２の底部12の内面11および拡散部９の内周面８は、このタンク本体２内のドラフトチューブ13の下端部から排出されて底部12の内面11へ衝突する有機廃液Ｗを、このタンク本体２の拡散部９の内周面８の傾斜によって局所的に上方に向けて流動させる。そして、この拡散部９の内周面８に沿った有機廃液Ｗの流動によって、この拡散部９の内周面８の下端部や底部12の内面11などに沈降している沈砂類Ｔを、この拡散部９の内周面８に沿って底部12の内面11から拡散部９の内周面８に向けて局所的に径方向に沿って流動させ、この沈砂類Ｔをタンク本体２の中央部であるドラフトチューブ13の下端側の外周面に沿って下方に向けて局所的に流動させる。
【００３８】
次に、上記第１の実施の形態の排水処理装置の作用について説明する。
【００３９】
まず、嫌気性消化槽１のタンク本体２内に貯溜されている有機廃液Ｗの液面Ｌ上の全体に、図２に示すように、スカム類Ｓが発生して層状に堆積してしまった場合には、このスカム類Ｓが固まる前の状態で、タンク本体２内の有機廃液Ｗの液面Ｌを所定の位置Ｌ１まで上昇させてから、ドラフトチューブ13内の有機廃液Ｗが上方に流動するように、モータ17にて回転主軸16を正転Ａ駆動させる。
【００４０】
このとき、図１および図２に示すように、この回転主軸16の回転速度を調整して、この回転主軸16に取り付けられているスクリュ15の正転Ａによって、ドラフトチューブ13内の有機廃液Ｗが上方に向けて流動されて、この有機廃液Ｗがタンク本体２内の有機廃液Ｗの液面Ｌより上方に跳ね上げられる。
【００４１】
さらに、このスクリュ15の正転Ａよって、タンク本体２内の有機廃液Ｗの液面Ｌの全体に亘って略均等に、このタンク本体２の中央部で有機廃液Ｗが上方に流動し外周部で下方に流動する対流が形成される。
【００４２】
さらに、回転主軸16の回転に伴って生じる遠心力によって、この回転主軸16に取り付けられている各飛散機構21それぞれの掻き飛し部23が上方に向けて回転して所定の角度ほど開いた状態で回転する。
【００４３】
そして、これら各飛散機構21それぞれの掻き飛し部23の回転主軸16に伴う回転によって、これら掻き飛し部23の湾曲面25にてタンク本体２の有機廃液Ｗの液面Ｌより上方に跳ね上がった消化液である有機廃液Ｗが掻き飛ばされて、この掻き飛ばされた有機廃液Ｗがタンク本体２内の有機廃液Ｗの液面Ｌ上の全面に飛散されて散水される。
【００４４】
この結果、これら各飛散機構21にて飛散された有機廃液Ｗによって、タンク本体２内の有機廃液Ｗの液面Ｌ上に堆積しているスカム類Ｓが湿潤されて軟らかくされて破砕しやすくさせるとともに、このスカム類Ｓの硬化が防止される。
【００４５】
このとき、この回転主軸16の回転数を可変して調整することによって、各飛散機構21それぞれの掻き飛し部23の開閉角度および回転速度が調整されるとともに、スクリュ15の回転速度が調整される。
【００４６】
このことから、このスクリュ15の回転によるタンク本体２内の有機廃液Ｗの液面Ｌより上方への有機廃液Ｗの噴水速度、すなわち跳ね上がり程度を調整できるので、タンク本体２内の有機廃液Ｗの液面Ｌ全体に亘って跳ね上がった有機廃液Ｗが各飛散機構21にてより遠くかつ広角に飛散され、この有機廃液Ｗが液面Ｌのタンク本体２の中心位置からタンク本体２の胴体部４の内周面３までに亘った全体に均一に飛散されるように、この回転主軸16の回転数を調整する。
【００４７】
さらに、この回転主軸16に取り付けられているディスク板27によって、タンク本体２内中央部での有機廃液Ｗの過剰な跳ね上がりや、この有機廃液Ｗの跳ね上がり時のしぶきが受けられて防止される。
【００４８】
この後、タンク本体２内の有機廃液Ｗ上に堆積したスカム類Ｓが、この有機廃液Ｗの液面Ｌ上の全体に亘って軟らかくなった場合には、図４に示すように、タンク本体２内の有機廃液Ｗの液面Ｌを所定の位置Ｌ１より下方の所定の位置Ｌ２まで降下させてから、モータ17の回転駆動を反転させて、スクリュ15の回転方向を逆転Ｂさせ、ドラフトチューブ13内の有機廃液Ｗを下方へ流動させる。
【００４９】
このとき、図３および図４に示すように、この有機廃液Ｗの中央部での下方への流動によって、この有機廃液Ｗの液面Ｌのスカム類Ｓがドラフトチューブ13内の有機廃液Ｗ中に引きずり込まれ、このスカム類Ｓを有機廃液Ｗに巻き込ませながらドラフトチューブ13内へと流動させ、この有機廃液Ｗとともに巻き込んだスカム類Ｓをドラフトチューブ13内で破砕させる。
【００５０】
そして、このドラフトチューブ13内でのスカム類Ｓの破砕によって、この破砕されたスカム類Ｓがドラフトチューブ13内の有機廃液Ｗ中にスクリュ15にて攪拌されて混合されてから、このドラフトチューブ13の下端部からタンク本体２内へと排出されて吐出された後に、このタンク本体２内の底部12の内面11の中央部に衝突することによって、ドラフトチューブ13を中心としてタンク本体２内の下層から上層へと流動化されて攪拌される。
【００５１】
さらに、このドラフトチューブ13の下端部からタンク本体２内へと排出されて吐出される有機廃液Ｗの下向流が、このタンク本体２内の底部12の内面11の中央部に衝突することによって、このタンク本体２内の底部12の内面11に堆積している沈砂類Ｔが、この底部12の内面11から拡散部９の内周面８に沿ってすくい上げられて上方に巻き上げられ流動されるように、スクリュ15の回転数を調整する。
【００５２】
このとき、このタンク本体２の拡散部９の内周面８に沿って上方に流動した沈砂類Ｔは、タンク本体２内の中央部に流動した際に、ドラフトチューブ13の下端部から排出されて吐出される有機廃液Ｗの下向流によって下方へ押し流される。
【００５３】
このことから、このタンク本体２内の拡散部９の下端側の一定の層の高さの極所的な部分において、この沈砂類Ｔが拡散部９の内周面８に沿って下方へすべり込んでドーナツ状に旋回される旋回流Ｃが形成されて流動化状態とさせて、この沈砂類Ｔの入れ替わり現象を生じさせる。
【００５４】
そして、この沈砂類Ｔの拡散部９の内周面８に沿った旋回流Ｃによって、タンク本体２の底部12の内面11に沈砂類Ｔが残らなくなる。また、このタンク本体２の拡散部９の内周面８の下端側の沈砂類Ｔが流動されることで、この拡散部９の内周面８の上端側に堆積している沈砂類Ｔが自重にてすべり落ちて、この拡散部９の内周面８での沈砂類Ｔの旋回流Ｃとともに流動化され、この拡散部９の内周面８での沈砂類Ｔの蓄積が防止される。
【００５５】
このとき、スクリュ15の回転数を連続的あるいは間欠的に調整して、このスクリュ15によるドラフトチューブ13内の有機廃液Ｗの流速を連続的あるいは間欠的に変化させることによって、タンク本体２の拡散部９の内周面８にて沈砂類Ｔを極所的に流動化させて、この沈砂類Ｔの拡散部９の内周面８の下端側での極所的な蓄積を防止させる。
【００５６】
この状態で、タンク本体２の排出管31を開動作させ、このタンク本体２で旋回して循環する沈砂類Ｔを連続的または間欠的にタンク本体２の外部へと引き抜いて排出させる。
【００５７】
上述したように、上記第１の実施の形態によれば、モータ17を駆動して回転主軸16を正転Ａ駆動させて、この回転主軸16に取り付けられているスクリュ15を正転Ａさせることにより、ドラフトチューブ13内の有機廃液Ｗがタンク本体２内の有機廃液Ｗの液面Ｌより上方に跳ね上げられる。さらに、この回転主軸16に取り付けられている各飛散機構21が、この回転主軸16の回転によって生じる遠心力あるいは揚力によって上方に回転して、これら飛散機構21の掻き飛し部23にてタンク本体２内の有機廃液Ｗの液面Ｌ上に跳ね上がった有機廃液Ｗをすくうようにして飛散させる構成とした。
【００５８】
この結果、モータ17による回転主軸16の回転数を調整して、この回転主軸16の回転速度を調整することによって、この回転主軸16の回転に伴うスクリュ15による有機廃液Ｗの跳ね上げ程度を調整できると同時に、この回転主軸16の回転に伴う各飛散機構21の掻き飛し部23の上方への回動角度、すなわち開閉度を調整できることから、これら各飛散機構21の掻き飛し部23それぞれの湾曲面25への有機廃液Ｗの衝突位置を調整することによって、この有機廃液Ｗの飛散程度を調整できる。
【００５９】
したがって、このモータ17による回転主軸16の正転Ａの方向への回転数の調整によって、タンク本体２内の有機廃液Ｗの液面Ｌ上の中心位置から外側縁までの全面に亘って広範囲かつより遠くに、この有機廃液Ｗを均等に飛散できる。このため、このタンク本体２内に貯留されている有機廃液Ｗの液面Ｌ上の全面に有機廃液Ｗを飛散させることによって、この有機廃液Ｗの液面Ｌ上に形成されるスカム類Ｓを湿潤および軟らかくできる。よって、このスカム類Ｓの有機廃液Ｗの液面Ｌでの堆積を全面に亘って防止できるとともに、この有機廃液Ｗの液面Ｌ上でのスカム類Ｓの硬化を防止できる。
【００６０】
このとき、このスカム類Ｓは、タンク本体２の胴体部４の中心部から最も遠い内周面３付近に溜まって硬化してしまう場合が多い。このため、モータ17による回転主軸16の回転数を調整して、タンク本体２の胴体部４の内周面３付近に有機廃液Ｗを飛散させる。この結果、このタンク本体２の胴体部４の内周面３付近に溜まるスカム類Ｓを湿潤および軟らかくでき、このタンク本体２内の有機廃液Ｗの液面Ｌ上に有機廃液Ｗが飛散されないデッドスペースが形成されなくなるから、このタンク本体２内の有機廃液Ｗの液面Ｌ上へのスカム類Ｓの堆積および硬化を効率良く防止できる。
【００６１】
また、この有機廃液Ｗの液面Ｌ上のスカム類Ｓに有機廃液Ｗを飛散させて軟らかくした状態で、モータ17の回転駆動を反転させてスクリュ15の回転方向を逆転Ｂさせ、ドラフトチューブ13内の有機廃液Ｗを下方へ流動させる。そして、この有機廃液Ｗの液面Ｌのスカム類Ｓをドラフトチューブ13内の有機廃液Ｗ中に引きずり込ませて、このスカム類Ｓをドラフトチューブ13内で破砕される構成とした。
【００６２】
さらに、このドラフトチューブ13で破砕されたスカム類Ｓは、スクリュ15の回転によって有機廃液Ｗ中に攪拌されて混合されるので、このドラフトチューブ13から吐出される有機廃液Ｗ中には、スカム類Ｓが攪拌混合されて溶け込んだ状態となる。したがって、このスカム類Ｓがタンク本体２内の有機廃液Ｗ中や、この有機廃液Ｗの液面Ｌなどに堆積しにくくできるので、このタンク本体２内の有機廃液Ｗ中および、この有機廃液Ｗの液面Ｌ上へのスカム類Ｓの堆積を効率良く防止できる。
【００６３】
また、このドラフトチューブ13の下端部から吐出された有機廃液Ｗは、タンク本体２の底部12の内面11に衝突することによって、このタンク本体２内の拡散部９の内周面８に沿って略均等に流動化されて拡散されるから、このタンク本体２内の有機廃液Ｗを効率良く拡散できる。
【００６４】
さらに、タンク本体２の拡散部９の内周面８を下方に向けて徐々に縮径したテーパ状である逆錐面状とし、この内周面８の傾斜角度をタンク本体２の底部12に蓄積する沈砂類Ｔの局所的な流動化に適した形状、例えば４０゜以上５０゜以下とした。この結果、ドラフトチューブ13の下端部から吐出されてタンク本体２内の底部12の内面11の中央部に衝突した有機廃液Ｗによって、この有機廃液Ｗが流動化される。そして、この有機廃液Ｗの流動化によって、このタンク本体２内の底部12の内面11に堆積している沈砂類Ｔが、この底部12の内面11から拡散部９の内周面８に沿って上方に巻き上げられる。
【００６５】
この後、このタンク本体２の拡散部９の内周面８に沿って巻き上げられた沈砂類Ｔが、タンク本体２内の中央部に流動した際に、ドラフトチューブ13の下端部から吐出される有機廃液Ｗの下向流にて下方へ押し流されて、このタンク本体２内の拡散部９の内周面８の下端側の極所的な部分に旋回流Ｃが形成され、この沈砂類Ｔの入れ替わり現象が生じる。
【００６６】
この結果、タンク本体２内の拡散部９の内周面８の下端側の極所的な部分での旋回流Ｃによる沈砂類Ｔの入れ替わり現象によって、タンク本体２の底部12の内面11に沈砂類Ｔを残らなくでき、拡散部９の内周面８の上端側に堆積している沈砂類Ｔが自重によってすべり落ちることから、この拡散部９の内周面８での沈砂類Ｔの蓄積を防止できる。
【００６７】
そして、この沈砂類Ｔの入れ替わり現象が生じている状態で、タンク本体２の排出管31を開動作させることにより、このタンク本体２内で旋回している沈砂類Ｔを連続的あるいは間欠的にタンク本体２外へと引き抜いて排出できるから、このタンク本体２内に堆積などするおそれがある沈砂類Ｔの排出を簡単な構成で効率良くできる。よって、従来のようにタンク本体２内の底部12を浚渫あるいは清掃などする方法で、このタンク本体２内に堆積する沈砂類Ｔを除去する必要を無くすことができる。
【００６８】
すなわち、従来の嫌気性消化槽１においては、スカム類Ｓの蓄積による滞留日数や発酵日数の低下を防止することから、タンク本体２内を定期的に浚渫あるいは清掃などする必要が不可欠であったが、上述のようにタンク本体２内で極所的に流動化させた有機廃液Ｗとともに沈砂類Ｔを排出管31から引き出して排出させることにより、このタンク本体２内の浚渫や清掃などの頻度を減少もしくは不要にできるとともに、この沈砂類Ｔが減ることによりタンク本体２に取り付けられている図示しない種々の機器などの消耗度を減少できるから、嫌気性消化槽１の維持管理を容易にできる。
【００６９】
なお、上記第１の実施の形態では、各飛散機構21の掻き飛し部23それぞれの基端部を支持体22に対してピン20にて回動可能に軸支させたが、図５に示す第２の実施の形態のように、これら各飛散機構21の掻き飛し部23の基端部を支持体22に対して回動可能に嵌合保持させる構成とすることもできる。この場合、これら各飛散機構21それぞれの掻き飛し部23の基端部には、球状に膨らまされたフリーボール部としての球状部41が形成されている。
【００７０】
そして、支持体22は、回転主軸16に一体的に取り付けられており、これら支持体22の先端部は、掻き飛し部23それぞれの球状部41が回動可能に嵌合保持される内径寸法を有する円柱状のパイプ体42の基端側の開口部43に嵌合されて後接続されている。これらパイプ体42は、弾性を有する軸付棒であって、各掻き飛し部23それぞれの球状部41の外径寸法より若干小さな内径寸法を有している。さらに、これらパイプ体42の先端側の開口部44には、各掻き飛し部23の球状部41が上下方向に回動可能となるように嵌合保持されて、いわゆるフリージョイント構造とされている。
【００７１】
この結果、回転主軸16を正転Ａさせることによって生じる遠心力や揚力によって、各掻き飛し部23のそれぞれがパイプ体42の弾性に抗して上下方向に回動し、この回転主軸16の回転速度の調整によって、各掻き飛し部23それぞれによる有機廃液Ｗの飛散程度を調整できるから、上記第１の実施の形態と同様の作用効果を奏することができる。
【００７２】
さらに、図６に示す第３の実施の形態のように、パイプ体42の先端側の開口部44を、掻き飛し部23の球状部41の外径寸法より小さく、これら掻き飛し部23の中間部の外径寸法より大きい内径寸法に縮径させて、この縮径した先端側の開口部44にて掻き飛し部23の球状部41を回動可能に保持する構成とすることもできる。この場合も、回転主軸16の回転速度の調整によって、各掻き飛し部23それぞれによる有機廃液Ｗの飛散程度を調整できるから、上記第１の実施の形態と同様の作用効果を奏することができる。
【００７３】
また、図７に示す第４の実施の形態のように、パイプ体42の先端側の開口部44を、上下方向に沿った長手方向を有する長孔状にし、この開口部44にて掻き飛し部23の球状部41を回動可能に保持する構成とすることもできる。この開口部44は、掻き飛し部23の球状部41の外径寸法より小さく、これら掻き飛し部23の中間部の外径寸法より大きい幅寸法を有するとともに、この掻き飛し部23の回動角度を規制しない程度の長手寸法を有している。この場合も、回転主軸16の回転速度の調整によって、各掻き飛し部23それぞれによる有機廃液Ｗの飛散程度を調整できるから、上記第１の実施の形態と同様の作用効果を奏することができる。
【００７４】
さらに、図８に示す第５の実施の形態のように、図示しない吊り上げ装置を回転主軸16に取り付け、これら吊り上げ装置にて吊り上げられて長さが調整されるワイヤ45の先端部を各掻き飛し部23の先端部に接続させて吊り上げ支持し、これらワイヤ45の長さを吊り上げ装置にて調整することによって、各掻き飛し部23の回動角度を調整する構成とすることもできる。この場合、この吊り上げ装置によるワイヤ45の長さ調整によって各掻き飛し部23の回動角度を調整でき、これら各掻き飛し部23それぞれによる有機廃液Ｗの飛散程度を調整できるから、上記第１の実施の形態と同様の作用効果を奏することができる。
【００７５】
そして、これらワイヤ45にて各掻き飛し部23を吊り上げる構成としたことにより、これら掻き飛し部23を水平位置より上方に回動させることが可能となるので、これら掻き飛し部23による有機廃液Ｗの飛散距離をより長くできるとともに、この有機廃液Ｗの飛散範囲をより広範囲にできる。
【００７６】
また、図９に示す第６の実施の形態のように、各掻き飛し部23それぞれの羽根部26の湾曲面25側の端面を、回転主軸16の正転Ａの方向に向けて所定の角度、例えば４５゜ほど傾斜させ状態に、これら掻き飛し部23をひねった状態で取り付けることもできる。この場合、回転主軸16の回転速度の調整によって、各掻き飛し部23による有機廃液Ｗの飛散程度を調整できるから、上記第１の実施の形態と同様の作用効果を奏することができる。
【００７７】
さらに、これら各掻き飛し部23それぞれの羽根部26の湾曲面25側の端面を、回転主軸16の正転Ａの方向に向けて所定の角度ほど傾けたことにより、これら掻き飛し部23の羽根部26の湾曲面25で、タンク本体２内の有機廃液Ｗの液面Ｌ上に跳ね上がった有機廃液Ｗをより遠くかつ広範囲に飛散できるから、このタンク本体２内の有機廃液Ｗの液面Ｌ上の全面でのスカム類Ｓの堆積および硬化をより効率良く防止できる。
【００７８】
よって、これら各掻き飛し部23それぞれの羽根部26の湾曲面26側の端面の傾斜角度としては、回転主軸16の正転Ａの方向に向けて、例えば３０゜以上４５゜以下の角度ほど傾けることが好ましい。
【００７９】
なお、上記各実施の形態では、タンク本体２内の有機廃液Ｗの液面Ｌより上方に跳ね上がった有機廃液Ｗを、回転主軸16の回転によって掻き飛し部23にて掻き飛ばして飛散させる構成としたが、有機廃液Ｗの液面Ｌ上に層状に形成されたスカム類Ｓを、これら掻き飛し部23の湾曲面25にて直接攪拌させる構成とすることもできる。
【００８０】
また、回転主軸16の外周面に計４個の飛散機構21を取り付けたが、これら飛散機構21を回転主軸16の外周面に、例えば８個などの複数個ほど取り付けても良い。そして、これら飛散機構21の掻き飛し部23の支持部24の形状としては、直線状以外の曲がった形状や、螺旋状に巻回した形状、Ｌ字状に屈曲した形状などであっても対応させて用いることができる。
【００８１】
そして、これら飛散機構21それぞれの掻き飛し部23の湾曲面25の形状としては、これら掻き飛し部23の先端側に向かうに連れて徐々に曲率半径が大きくなる放物線状などの円弧面以外の形状であってもよい。このとき、これら湾曲面25の形状を、掻き飛し部23の先端側に向かうに連れて徐々に曲率半径が大きくなる放物線状にすることによって、これら掻き飛し部23の回動角度に比例させて有機廃液Ｗの飛散距離を長くできるから、この有機廃液Ｗの飛散範囲をより広範囲にできる。
【００８２】
さらに、スクリュ15の形状を、軸方向に向けて螺旋状に巻回したスクリュ羽根形状としたが、このスクリュ15の回転にてドラフトチューブ13内の有機廃液Ｗを流動できる構成であれば、例えばプロペラ状やその他の形状のスクリュ15であってもよい。
【００８３】
そして、略円筒状ではなく、例えば四角筒状のタンク本体２とし、このタンク本体２の拡散部９の内周面８を下方に向けて縮んだ逆四角錐面状にすることもできる。また、モータ17の可動を連続的あるいは間欠的にするなどして、タンク本体２内の沈砂類Ｔを流動化させる構成とすることもできる。
【００８４】
さらに、複数種の比重の異なる沈砂類Ｔなどの沈降性異物を、複数の極所的な流動化層となるようにタンク本体２内で流動化させて、これら複数種の沈降性異物を分別して取り出せる構成とすることもできる。
【００８５】
また、回転主軸16を逆転Ｂさせたときに、この回転主軸16に取り付けられている各飛散機構21に作用する空気抵抗や図示しないストッパ機構などによって、これら各飛散機構21それぞれの掻き飛し部23が上方に回動しない構成とすることもできる。
【００８６】
すなわち、回転主軸16の正転Ａの時に各掻き飛し部23が遠心力等で開き、この回転主軸16の逆転Ｂの時に飛散機構21の掻き飛し部23に作用する空気抵抗を利用して、これら掻き飛し部23がたたまれた状態が保持され、この回転主軸16の停止時に自重にて掻き飛し部23がたたまれた状態が保持される構成とすることもできる。
【図面の簡単な説明】
【００８７】
【図１】本発明の第１の実施の排水処理装置を示す説明図である。
【図２】同上排水処理装置の飛散手段による排水の飛散状態を示す説明図である。
【図３】同上排水処理装置にて槽本体の底部側の排水を流動させる状態を示す説明図である。
【図４】同上排水処理装置にて槽本体の底部側の排水を流動させている状態での飛散手段を示す説明図である。
【図５】本発明の第２の実施の形態の排水処理装置の飛散手段を示す説明図である。
【図６】本発明の第３の実施の形態の排水処理装置の飛散手段の一部を示す説明図である。
【図７】本発明の第４の実施の形態の排水処理装置の飛散手段の一部を示す説明図である。
【図８】本発明の第５の実施の形態の排水処理装置の一部を示す説明図である。
【図９】本発明の第６の実施の形態の排水処理装置の一部を示す説明図である。
【符号の説明】
【００８８】
１    排水処理装置としての嫌気性消化槽
２    槽本体としてのタンク本体
８    周面部としての内周面
９    拡散部
12    底部
13    筒状体としてのドラフトチューブ
15    流動手段としてのスクリュ
21    飛散手段としての飛散機構
23    飛散部としての掻き飛し部
Ｗ    排水としての有機廃液
【図１】
2008036597.tif 000003
【図２】
2008036597.tif 000004
【図３】
2008036597.tif 000005
【図４】
2008036597.tif 000006
【図５】
2008036597.tif 000007
【図６】
2008036597.tif 000008
【図７】
2008036597.tif 000009
【図８】
2008036597.tif 000010
【図９】
2008036597.tif 000011